(57)【特許請求の範囲】
【請求項１】
先端部に柔軟弾性材を設けたパッドを加熱し、進退動手段によって、前記加熱したパッドを押圧して該パッド表面に転写シート上の図柄および箔、または、インキ、ペースト、接着剤を接着させ、その後に、該パッドを被転写体の被転写面に押圧して前記転写シート上の図柄および箔、または、インキ、ペースト、接着剤をその被転写面に転写する転写装置であって、
進退動手段に固定される取付けベースに前記パッドを接続する部分であって、絶縁性があり先端部よりも硬度の高いベース部と、
このベース部の先端側に固定し通電によって発熱する発熱部と、
このベース部先端側および発熱部を耐熱性の柔軟弾性材で覆った伸縮性のある先端部と、
前記発熱部への通電用リード線をパッド外部に延ばした端子部とを備え、
前記発熱部は、導電性材を混練した導電性のゴムを材料としたほぼ薄板形状を呈しており、
電源手段から前記端子部を介して発熱部に通電することによって当該パッドを加熱するようにしたことを特徴とする転写装置用パッド構造。
【請求項２】
先端部は、高伸縮性の低硬度ミラブル型シリコーンゴムまたはＲＴＶ型シリコーンゴム材料に熱伝導性フィラーを混練した材料からなることを特徴とする請求項１に記載の転写装置用パッド構造。
【請求項３】
端子部は、上記発熱部に接続された薄板金属からなるリード線をベース部内部において発熱部の面方向外側に向かいベース部表面付近で曲がって後方に延びて、ベース部後端からベース部外部に露出する構造を呈していることを特徴とする請求項１または２に記載の転写装置用パッド構造。
【請求項４】
ベース部は、絶縁性を持ち、かつ高伸縮性を持ったミラブル型シリコーンゴムまたはＲＴＶ型シリコーンゴム材料から形成していることを特徴とする請求項１から３のうちの１項に記載の転写装置用パッド構造。
【発明の詳細な説明】
【技術分野】
【０００１】
本発明は樹脂、陶器、ガラス、皮革等の凹凸のある製品の表面に文字、図形、記号や模様等からなる図柄（絵柄）を手書きによらず、転写シート上の図柄および箔、または、インキ、ペースト、接着剤等を被転写面にパッドによって転写する転写装置においてそのパッドの構造に関する。
【背景技術】
【０００２】
パッドを用いた転写装置に関して、例えば、特開２０００-３４３８９５号公報（特許文献１）では、電極形成銀ペースト、マンガン・モリブデンペーストなどで絵柄（図柄）を台紙に印刷して転写シートとし、弾性体からなる転写用パッドを用いて、転写シートを余熱板の上で加熱して表面を軟化した状態でシリコンパッドを押圧することによって図柄を台紙から剥離して該パッドに接着させ、その後に、被転写体にパッドを押圧して絵柄を転写している。
【０００３】
また、特開平１０−１８１２９５号公報（特許文献２）では、垂直シリンダーの下部に設けた支持プレートには、ゴムシートの下面に加圧パッドを保持して設け、別途のヒータによって加温されたアルミ板に加圧パッドを押しつけて加熱し、転写シートを被転写面に位置決めして、加熱されたパッドによって転写シートを凹凸のある被転写面の全面へ密着させて加熱押圧して着色インク層を被転写面に転写させるようにしている。
【特許文献１】特開２０００−３４３８９５号公報
【特許文献２】特開平１０−１８１２９５号公報
【発明の開示】
【発明が解決しようとする課題】
【０００４】
しかしながら、前述の如く、転写シートの図柄（文字記号や絵柄も含む）を転写するためには、加熱板上に転写シートを設置して加熱しパッドを転写シート上に移動させて密着させる工程を要するので、パッドの移動中および被転写体に密着中に温度低下を生じるなど、転写シート上の図柄をパッドに接着しまたはパッドから転写する際に実際の温度を適正温度に制御することが難しく、また転写に要する時間の長短によって実際のパッドの温度管理をきめ細かく行うことが難しい等の理由から転写品質がばらつくという問題点がある。
【０００５】
また、加熱板等の加熱手段をパッドの昇降装置の他に設置する必要があり、構成部分が多くしかも加熱手段上にパッドを位置決めして押し付けて、当該パッドを加熱する構造が必要になるので、転写装置全体が大型かつ複雑な構成で設置場所も広く必要になることから、装置全体のコストが掛かるという問題を有する。
【０００６】
本発明は、斯かる実情に鑑みなされたものであって、パッドの温度管理を精度良く行うことができ転写品質にばらつきがなく転写図柄の品質向上ができると共に、パッドと別途に加熱手段を設ける必要をなくして転写装置の構造を簡単にし、かつ設置スペースも従来より狭くすることができ、転写装置の経済性を向上できる転写装置用パッド構造を提供しようとするものである。
【課題を解決するための手段】
【０００７】
本発明は、先端部に柔軟弾性材を設けたパッドを加熱し、進退動手段によって、前記加熱したパッドを押圧して該パッド表面に転写シート上の図柄および箔、または、インキ、ペースト、接着剤を接着させ、その後に、該パッドを被転写体の被転写面に押圧して前記転写シート上の図柄および箔、または、インキ、ペースト、接着剤をその被転写面に転写する転写装置であって、
進退動手段に固定される取付けベースに前記パッドを接続する部分であって、絶縁性があり先端部よりも硬度の高いベース部と、
このベース部の先端側に固定し通電によって発熱する発熱部と、
このベース部先端側および発熱部を耐熱性の柔軟弾性材で覆った伸縮性のある先端部と、
前記発熱部への通電用リード線をパッド外部に延ばした端子部とを備え、
前記発熱部は、導電性材を混練した導電性のゴムを材料としたほぼ薄板形状を呈しており、
電源手段から前記端子部を介して発熱部に通電することによって当該パッドを加熱するようにしたことを特徴とする転写装置用パッド構造である。
【０００８】
本発明において、先端部は、高伸縮性の低硬度ミラブル型シリコーンゴムまたはＲＴＶ型シリコーンゴム材料に導電性フィラーを混練した材料からなることが好適である。
【０００９】
また、本発明において、端子部は、上記記発熱部に接続された薄板金属からなるリード線をベース部内部において発熱部の面方向外側に向かいベース部表面付近で曲がって後方に延びて、ベース部後端からベース部外部に露出する構造を呈していることが好適である。
【００１０】
本発明において、ベース部は、絶縁性を持ち、かつ高伸縮性を持ったミラブル型シリコーンゴムまたはＲＴＶ型シリコーンゴム材料から形成していることが好適である。
【発明の効果】
【００１２】
本発明の転写装置用パッド構造によれば、パッドには、先端側に発熱部を耐熱性の柔軟弾性材で覆い、パッド外部に通電用リード線を延した端子部を備えているので、電源手段から前記端子部を介して発熱部に通電することによってパッドを直接加熱できる。
【００１３】
したがって、パッドの移動中、転写シートに密着中および、被転写体に密着中に加熱を連続して行えるので、温度低下が生じることがなく、転写シート上の図柄をパッドに接着しまたはパッドから転写する際等に、実際の温度を適正温度にきめ細かく制御することが容易であり、また転写に要する時間の長短によっても実際のパッドの温度管理をきめ細かく行うことができることから、転写品質にばらつきがなく転写図柄の品質向上を図ることができる。
【００１４】
また、パッドと別途に加熱手段を設ける必要がなくなり、転写装置の構造を簡単にでき、かつ設置スペースも従来より狭くすることができ、転写装置の経済性を向上できるという優れた効果を奏し得る。
【００１５】
なお、本発明において、先端部を、高伸縮性の低硬度ミラブル型シリコーンゴムまたはＲＴＶ型シリコーンゴム材料に熱伝導性フィラーを混練した材料からなるものにすれば、熱伝導性がよくパッドの温度制御を一層きめ細かく制御できる。
【００１６】
また、本発明において、発熱部は、導電性材を混練した導電性のミラブル型シリコーンゴムまたはＲＴＶ型シリコーンゴムを材料としたほぼ薄板形状を呈しており、端子部は、上記発熱部に接続された薄板金属からなるリード線をベース部内部において発熱部の面方向外側に向かいベース部表面付近で曲がって後方に延びて、ベース部後端からベース部外部に露出する構造を呈しているようにすれば、先端部を押圧する際に発熱部に圧力が加わっても薄板形状である発熱部は変形しにくく、また、端子部のリード線がベース部の内側かつ表面付近を後方に延びるので、転写時にベース部中心に設けた場合に比較して圧縮応力が掛かりにくく撓みや曲がりで応力を逃がし易い。
【００１７】
したがって、転写作業を繰り返しても発熱部及び端子部の耐久性が向上してメンテナンスフリーにすることができる。
【００１８】
また、本発明において、ベース部は、絶縁性を持ち、かつ高伸縮性を持ったミラブル型シリコーンゴムまたはＲＴＶ型シリコーンゴム材料から形成したものにすれば、発熱部の絶縁性が低くてもベース部から進退動手段を介して転写装置側に漏電することを防止でき、加熱制御に不都合が生じるのを確実に防止できる。
【００１９】
本発明によれば、金型内にパッド先端部の柔軟弾性材の上に端子部を配置してベース部材料を注入し、そのベース部上に取付けベースを乗せて加硫処理をし、金型から外せば、一つの金型によってパッドを一括して形成できるので、各部材を個別に形成するのに比較して金型の数量および接着工程を省略することができ、簡単な製造装置の構成で簡易かつ迅速にパッドを製造することができる。
【発明を実施するための最良の形態】
【００２０】
以下、本発明の実施の形態を、添付図面を参照して説明する。
【００２１】
図１〜図６は本発明を実施する形態の一例であって、図中、同一の符号を付した部分は同一物を表わす。図１（ａ）は実施形態に係る転写装置用パッドの側面視図、同（ｂ）は転写時のパッドの縦断面視図、同（ｃ）は転写後の被転写体の縦断面視図である。図２はパッドの要部縦断視図である。図３（ａ）、（ｂ）は、発熱部の第１の実施例の平面視説明図、側面視説明図、（ｃ）、（ｄ）は発熱部の第２の実施例の平面視説明図、縦断面視説明図である。図４（ａ）は、第１の実施例の発熱部の電極を複数設けたものの側面視説明図、（ｂ）は第２の実施例の発熱部に電極を複数設けたものの縦断面視説明図である。図５〜図６は実施形態に係るパッド１４の製造方法の断面視説明図である。
【００２２】
実施形態に係るパッド１４は、図１に示すように、箔またはインキ等からなる転写図柄１０ａを熱溶融性の溶剤を介して形成した転写シート１０を用い、先端部１２に柔軟弾性材を設けたパッド１４を加熱し、進退動手段２６によって、前記転写シート１０に加熱したパッド１４を板（載置板）上に載置された転写シート１０上に押圧して該パッド１４表面に転写シート１０の図柄１０ａを接着させ、その後に、該パッド１４を被転写体１６の被転写面１６ａに押圧して図柄１０ａをその被転写面１６ａに転写する転写装置に用いるものである。なお、転写装置はパッド１４を転写のために備える各種のものを採用することができる。また、進退動手段２６は、パッド１４後部の取付けベースを挟持して、押圧および必要な移動させ得る機構であれば種々の構成が可能であり、図１ではパッド１４を挟持した状態の進退動手段２６を略記している。また、被転写体１６は、被転写面が平面はもちろん凹凸のある立体物品表面に転写印刷するのに好ましく、特に、多数のディンプルが表面に形成されたゴルフボール表面を被転写面として箔を転写するのに本発明のパッドを備えた転写装置によって転写するのが好適である。
【００２３】
パッド１４は、進退動手段２６に固定される取付けベース２４に前記パッド１４を接続する部分であって、絶縁性があり先端部１２よりも硬度の高いベース部１８と、このベース部１８の先端側に固定し通電によって発熱する発熱部２０と、このベース部１８先端側および発熱部２０を耐熱性の柔軟弾性材で覆った先端部１２と、前記発熱部２０への通電用金属リード線２２ａをパッド１４外部に延ばした端子部２２とを備え、転写装置の進退動手段２６によってパッド１４を転写シート１０に押圧する際に電源手段（図示省略）から前記端子部２２を介して発熱部２０に通電することによって当該パッド１４を加熱するようにしたものである。電源手段からの通電はパッド１４で押圧する際のみならず、その他予め余熱のために通電して加熱するようにしてもよい。
【００２４】
パッド１４は、ベース部１８から先端部１２にかけて先細の概略円錐形状または半球形状を呈した回転対称形状になっている。ベース部１８の後部に繋がる取付けベース２４は、進退動手段２６によって挟持等で支持するのに都合の良い構成を呈している。実施形態では概略円柱状形状を呈している。
【００２５】
前記先端部１２は、高伸縮性の低硬度ミラブル型シリコーンゴムまたはＲＴＶ型シリコーンゴム材料に熱伝導性フィラーを混練した材料からなる。先端部１２は、このような材料によって形成するので、熱伝導性がよくパッド１４の温度制御を一層きめ細かく制御できる。
【００２６】
具体的な先端部１２の材料には、熱加硫型シリコーンゴムであって、例えば東レダウコーング（株）社製のＤＹ３２−３，ＤＹ３２−５，ＤＹ３２−９，ＤＹ３２９３１，ＳＨ３５，ＳＨ５２，ＳＨ８３１，ＳＨ８４２、ＧＥ東芝シリコーン（株）社製のＴＳＥ２５２３，ＴＳＥ２５６１，ＴＳＥ２６０，ＴＳＥ２２１，ＸＥ２０−３，ＸＥ２０−５，ＸＥ２０−Ａ，ＸＥ２０−Ｃ，ＸＥ２３−Ｂ，ＸＥ２３−Ａ、信越化学工業（株）社製のＫＥ−９，ＫＥ−５，ＫＥ−７，ＫＥ−１，Ｘ３０、旭化成ワッカーシリコーン（株）社製のＥＬ１３０１，ＥＬ１４０１，ＥＬ７１０１，ＥＬ７１５２，ＥＬ１５０１，ＥＬ７２１０のうちの１以上の材料を単独にまたは混合して用いることができる。
【００２７】
また、発熱部２０は、導電性材を混練した導電性のミラブル型シリコーンゴムまたはＲＴＶ型シリコーンゴムを材料としたほぼ薄板形状を呈している。実施形態では発熱部２０は、図２の縦断視しており、図３（ａ）の平面図，（ｂ）の側面図で示す第１の実施例のように、平面視で円形形状を呈した概略円板形状で、側面視で概略矩形のものであって、その平面方向をパッド１４の中心軸に対して垂直方向にほぼ一致させている。したがって、発熱部２０は、ベース部１８先端１８ａに平坦に支持されており、端子部２２は、発熱部２０の径方向外側にベース部１８の先端１８ａ側外縁付近まで金属リード線２２ａを延ばして形成されている。
【００２８】
具体的には、端子部２２は、上記発熱部２０に接続された薄板金属からなる金属リード線２２ａをベース部１８内部において発熱部２０の面方向外側に向かいベース部１８表面付近で曲がって該表面に沿って後方に延びて、ベース部１８後端１８ｂからベース部１８外部に露出する構造を呈している。
【００２９】
端子部２２は上記の構造のため、転写時に先端部１２を転写シート１０に押圧する際に発熱部２０に圧力が加わっても薄板形状であってベース部１８先端１８ａに平坦に支持された発熱部２０は変形しにくく、また、端子部２２の金属リード線２２ａがベース部１８の内側かつ表面付近を後方に延びるので、金属リード線２２ａをベース部１８中心に設けた場合に比較して転写時に圧縮応力が掛かりにくく撓みや曲がりが生じて応力を逃がし易い。したがって、転写作業を繰り返しても発熱部２０及び端子部２２の耐久性が向上してメンテナンスフリーにすることができる。
【００３０】
具体的には、この発熱部２０の材料には熱加硫型シリコーンゴムであって、例えば東レダウコーング（株）社製のＳＲＸ−４，ＳＲＸ−５，ＳＲＸ−６，ＳＥ６７７０，ＤＹ３２−５，ＤＹ３２−９，ＳＨ−５，ＳＨ−８、ＧＥ東芝シリコーン（株）社製のＴＳＥ２５２３，ＴＳＥ２５６１，ＴＳＥ２６０，ＴＳＥ２２１，ＸＥ２０−３，ＸＥ２０−５，ＸＥ２０−Ａ，ＸＥ２０−Ｃ，ＸＥ２３−Ｂ，ＸＥ２３−Ａ、信越化学工業（株）社製のＫＥ−９，ＫＥ−７，ＫＥ−５，ＫＥ−３，ＫＥ−１，ＴＣ，ＥＣ，Ｘ３０、旭化成ワッカーシリコーン社（株）社製のＥＬ１３０１，ＥＬ１４０１，ＥＬ７１０１，ＥＬ７１５２，ＥＬ１５０１，ＥＬ７２１０のうち１以上の材料を単独にまたは混合して用いることができる。
【００３１】
また、発熱部構造の各実施例を説明する。図２、図３（ａ），（ｂ）に第１の実施例に係る発熱部２０を、図３（ｃ），（ｄ）に第２の実施例に係る発熱部２０を示す。
第１の実施例（形状Ａ）に係る発熱部２０は、上記ミラブル型シリコーンゴム製の円板形状の発熱体２０ａの中心を挟んで左右外周に金属端子片２２ｃ１、２２ｃ２を電気的に接合し、その金属端子片ｃ１，２２ｃ２からそれぞれ金属リード線２２ａ１，２２ａ２を発熱体２０ａの面に沿う方向に延して端子部２２に接続したものである。
また、第２の実施例（形状Ｂ）の発熱部２０は、図３（ｃ），（ｄ）に示すように、発熱体２０ａの片面の中央部に円形の金属端子片２２ｂを、また、外周に環状の金属端子片２２ｃを電気的に接合している。そして、中央部の金属端子片２２ｂにリード線（絶縁被覆線等）２２ｄを延ばし、また、外周の金属端子片２２ｃから金属リード線２２ａを発熱体２０ａの面に沿う方向に延して、端子部２２に上記リード線２２ｄおよび金属リード線２２ａをそれぞれ接続したものである。端子部２２，２２を介してリード線２２ｄ、金属リード線２２ａから電圧を発熱体２０ａに印加することによって、発熱部２０を発熱させる。
【００３２】
発熱体の形状や面積によって、図３では一対（２本）の金属リード線２２ａの発熱部２０を示しているが、金属リード線２２ａの本数を２対以上つまり４・６・８…本などに増やすことにより、電流が発熱体２０ａにスムーズに流れるようにし、また、リード線に押圧の際の力学的負荷および電流を流す際の電気的負荷がなるべく掛からないようにリード線の本数および配置を設定する。
【００３３】
また、前記発熱部２０の金属リード線２２ａは図４に示すように上下方向に複数設けても良い。図４（ａ）では、上記形状Ａの第１の実施例の発熱部２０において、上記ミラブル型シリコーンゴム製の円板形状の発熱体２０ａの両面（上下面）の外周に環状の金属端子片２２ｃ１，２２ｃ２を電気的に接合して、それらの金属端子片２２ｃ１，２２ｃ２それぞれに金属リード線２２ａ１，２２ａ２を発熱体２０ａの面に沿う方向に延して接続したものである。
【００３４】
また、（ｂ）に示すように，中央部に円形の金属端子片２２ｂを設けてリード線２２ｄを延して、また、外周の金属端子片２２ｃ，２２ｃからそれぞれ金属リード線２２ａ，２２ａを発熱体２０ａの面に沿う方向に延して接続したものである。上下の金属リード線２２ａ１，２２ａ２，２２ａ，２２ａから端子部２２，２２を介して電圧を発熱体２０ａに印加することによって、発熱させる。この場合、上記の金属端子片２２ｃ，２２ｃで上下両側から発熱体を挟み込むことにより、同じ電圧の印加で電流が多く流せて（端子片と発熱体同士の接触抵抗が低下することから）高温を発生さえることができる。
なお、転写時の圧力分散を考慮し、中央部金属端子片２２ｂの形状や面積を変えて設定するのが好ましい。また、合わせてリード線２２ｄの配線も考慮することが好ましい。
【００３５】
前記ベース部１８は、絶縁性を持ち、かつ高伸縮性を持ったミラブル型シリコーンゴムまたはＲＴＶ型シリコーンゴム材料から形成しているものである。ベース部１８は、この構成を採用するため、発熱部２０の絶縁性が低くてもベース部１８から進退動手段２６を介して転写装置側に漏電することを防止でき、加熱制御に不都合が生じるのを確実に防止できる。
【００３６】
具体的には、このベース部１８の材料には熱加硫型シリコーンゴムであって、例えば東レダウコーング（株）社製のＤＹ３２−３，ＤＹ３２−５，ＤＹ３２−９，ＤＹ３２９３１，ＳＨ３５，ＳＨ５２，ＳＨ８３１，ＳＨ８４２、ＧＥ東芝シリコーン（株）社製のＴＳＥ２５２３，ＴＳＥ２５６１，ＴＳＥ２６０，ＴＳＥ２２１，ＸＥ２０−３，ＸＥ２０−５，ＸＥ２０−Ａ，ＸＥ２０−Ｃ，ＸＥ２３−Ｂ，ＸＥ２３−Ａ、信越化学工業（株）社製のＫＥ−９，ＫＥ−５，ＫＥ−７，ＫＥ−１，Ｘ３０、旭化成ワッカーシリコーン（株）社製のＥＬ１３０１，ＥＬ１４０１，ＥＬ７１０１，ＥＬ７１５２，ＥＬ１５０１，ＥＬ７２１０のうち１以上の材料を単独にまたは混合して用いることができる。
【００３７】
なお、各部を接着する接着剤は、例えば東レダウコーング（株）社製のＳＨ４２８０，ＳＤ４５６０，ＳＤ４５７０，ＳＤ４５８０、ＧＥ東芝シリコーン（株）社製のＭＥ１２１，ＭＥ１２３，ＹＰ９３４１，ＸＰ８０、信越化学工業（株）社製のプライマーＳ，プライマーＴ，プライマーＵ，プライマー４、旭化成ワッカーシリコーン（株）社製のＮ，ＲＴ，Ｅ，Ｋのうち１以上の材料を単独にまたは混合して用いることができる。
【００３８】
また、パッド取付けベース２４は、硬質のもの、具体的には、金属（鉄、真鍮、アルミニウム等）やプラスチック（メラミン、フェノール樹脂系の熱硬化性樹脂等）を用いることができる。
【００３９】
上記構成の実施形態に係る転写装置では、図１の（ａ）に示すように、箔またはインキ等からなる転写図柄を熱溶融性の溶剤を介して形成した転写シート１０を用い、載置台上に転写シート１０を乗せた状態で、進退動手段２６によって、前記転写シート１０に発熱部２０への通電によって加熱したパッド１４を転写シート上に押圧する。これによって該パッド１４表面に転写シート１０の図柄１０ａが接着する。
【００４０】
その後に、該パッド１４を移動させて図１（ｂ）に示すように、被転写体１６の被転写面１６ａに押圧する（この際に適宜に発熱部２０を発熱させて温度調整が可能である）。パッド１４を後退させれば、図１（ｃ）に示すように、図柄１０ａがその転写体１６の被転写面１６ａに転写される。
【００４１】
実施形態の転写装置用パッド１４構造によれば、パッド１４には、発熱部２０先端側を耐熱性の柔軟弾性材からなる先端部１２によって覆い、パッド１４外部に通電用金属リード線２２ａを延した端子部２２を備えているので、電源手段から前記端子部２２を介して発熱部２０に通電することによってパッド１４を直接加熱できる。
【００４２】
したがって、パッド１４の移動中、転写シート１０に密着中および、被転写体１６に密着中に加熱を連続して行えるので、温度低下が生じることがなく、転写シート１０上の図柄１０ａをパッド１４に接着しまたはパッド１４から被転写体１６の被転写面１６ａに転写する際に実際の温度を適正温度にきめ細かく制御することが容易であり、また転写に要する時間の長短によっても実際のパッド１４の温度管理をきめ細かく行うことができることから、転写品質にばらつきがなく転写図柄１０ａの品質向上を図ることができる。
【００４３】
また、パッド１４と別途に加熱手段を設ける必要がなくなり、転写装置の構造を簡単にでき、かつ設置スペースも従来より狭くすることができ、転写装置の経済性を向上できる。
【００４４】
次に、上記構造のパッド１４の製造方法を図５〜図６に基づいて説明する。
【００４５】
この製造方法においては、図５〜図６に示す工程［１］〜［６］を実施し、その際、金型２８内の最先端側部分を下方に向けた状態で設置する。金型は、鉄、真鍮、硬質アルミニウム、銅等からなっている。
【００４６】
まず、図５の工程［１］に示すように、パッド１４成形用金型２８内に離型材を塗布する。
【００４７】
次いで、工程［２］に示すように、前記金型２８内に前記パッド１４先端部１２を形成するための耐熱性の柔軟弾性材を注入する。
【００４８】
そして、工程［３］に示すように、注入された柔軟性弾性材上に発熱部２０を置きかつその発熱部２０への通電用金属リード線２２ａを金型外部に延して端子部２２を配置する。
【００４９】
次いで、図６の工程［４］に示すように、金型内には、発熱部２０および先端部１２上に、絶縁性が有りかつ前記先端部１２形成用の柔軟弾性材よりも硬度の高いベース部１８用材料を注入する。
【００５０】
そして、工程［５］に示すように、注入されたベース部１８上に取付けベース２４を載せる。
【００５１】
次いで、工程［６］に示すように、金型内に収容された材料全体を加硫プレスして、加硫プレスされた材料全体を金型から外してパッド１４とする。
【００５２】
このように、実施形態のパッド１４の製造方法によれば、一つの金型によってパッド１４を一括して形成できるので、各部材を個別に形成するのに比較して金型の数量および接着工程を省略することができ、簡単な製造装置の構成で簡易かつ迅速にパッド１４を製造することができる。
【００５３】
尚、本発明の転写装置用パッド構造は、上記した実施の形態に限定されるものではなく、本発明の要旨を逸脱しない範囲内において種々変更を加え得ることは勿論である。
【図面の簡単な説明】
【００５４】
【図１】（ａ）は実施形態に係る転写装置用パッドの側面視図、（ｂ）は転写時のパッドの縦断面視図、（ｃ）は転写後の被転写体の縦断面視図である。
【図２】図１のパッドの先端部付近の要部縦断面視図である。
【図３】（ａ）、（ｂ）は、発熱部の第１の実施例の平面視説明図、側面視説明図、（ｃ）、（ｄ）は発熱部の第２の実施例の平面視説明図、縦断視説明図である。
【図４】（ａ）は、第１の実施例の発熱部の電極を複数設けたものの側面視説明図、（ｂ）は第２の実施例の発熱部に電極を複数設けたものの縦断面視説明図である。
【図５】実施形態に係るパッドの製造方法の断面視説明図であって、工程［１］〜［３］の説明図である。
【図６】図５に続く、工程［４］〜［６］の説明図である。
【符号の説明】
【００５５】
１０  転写シート
１０ａ  転写図柄
１２  パッドの先端部
１４  パッド
１６  被転写体
１６ａ  被転写面
１８  ベース部
１８ａ  ベース部の先端
１８ｂ  ベース部の後端
２０  発熱部
２０ａ  発熱体
２２  端子部
２２ａ，２２ａ１，２２ａ２  金属リード線
２２ｂ  中央部の金属端子片
２２ｃ，２２ｃ１，２２ｃ２  周辺の金属端子片
２２ｄ  リード線
２４  取付けベース
２６  進退動手段
２８  金型
【図１】
0004734304.tif 000002
【図２】
0004734304.tif 000003
【図３】
0004734304.tif 000004
【図４】
0004734304.tif 000005
【図５】
0004734304.tif 000006
【図６】
0004734304.tif 000007